(57)【要約】      （修正有）【課題】ビルトインキッチンに組み込む冷蔵庫であって、断熱パネルの厚みが薄い場合でも、断熱パネル端部の断熱性能を低下させること無く省エネ性の高い冷蔵庫を提供する。【解決手段】断熱材入りの上面パネル１２３と、底面パネルと、左右の側面パネル１２５と、背面パネルと、各パネルを連結する連結部品１４０と、連結部品１４０を各パネルに固定する締結部品１４１とを備え、各パネル端部の外側に設けた連結部品１４０の貫通孔１４４と、各パネル端部近傍の外板に設けた凹型固定部１４３にて位置決めし、締結部品１４１により各パネルを固定することにより、断熱パネルの厚みが薄い場合でも断熱パネル端部の断熱性能を確保することができるので、断熱性能の高い組立式冷蔵庫を提供することができる。【選択図】図３
2015158327.tif 000002
【特許請求の範囲】
【請求項１】
組立式の箱体からなる冷蔵庫本体は、断熱材入りの上面パネルと、底面パネルと、左右の側面パネルと、背面パネルと、各パネルを連結する連結部品と、連結部品を各パネルに固定する締結部品とを有し、各パネルは、冷蔵庫の外殻を形成する外板と食品収納部を形成する内板とから形成され、各パネル同士を接続するパネル端部には段差部を備え、各パネル同士を接続する外板の端部近傍には凹型固定部を備え、前記連結部品の端部近傍には、前記締結部品を通す貫通孔を備えたもので、一方のパネルの端部の段差部ともう一方のパネルの端部の段差部を係合し、連結部品の貫通孔とパネルの外板に設けた凹型固定部とを前記締結部品で締結することを特徴とする冷蔵庫。
【請求項２】
前記連結部品は、各パネル端部を圧接するための機能を有することを特徴とする請求項１に記載の冷蔵庫。
【請求項３】
前記段差部に断熱性を有するシール材を挟持することを特徴とする請求項１または２に記載の冷蔵庫。
【請求項４】
上面パネル、側面パネル、底面パネルの冷蔵庫本体前方側のパネル端部には凹部が形成され、前記凹部に高温冷媒配管を配置したことを特徴とする請求項１から３のいずれか一項に記載の冷蔵庫。
【請求項５】
上面パネル、側面パネル、底面パネルの冷蔵庫本体前方のパネル端部には化粧板を設け、前記パネル端部と前記化粧板との間に前記高温冷媒配管を挟持することを特徴とする請求項４に記載の冷蔵庫。
【請求項６】
前記高温冷媒配管は、底面パネルの下側面を介して冷凍サイクルを構成していることを特徴とする請求項４または５に記載の冷蔵庫。
【発明の詳細な説明】
【技術分野】
【０００１】
本発明は、ビルトインキッチンに組み込む冷蔵庫であって、断熱パネルによる組立式冷蔵庫の構造に関するものである。
【背景技術】
【０００２】
断熱パネルを組み合わせる冷蔵庫としては、断熱パネル端部の面の段部を係合し、断熱パネルを貫通した締結部品で断熱パネルを固定するのも（例えば、特許文献１参照）がある。
【０００３】
以下、図面を参照しながら、上記従来の冷蔵庫について説明する。
【０００４】
図６は従来の冷蔵庫の外観斜視図、図７は従来の冷蔵庫各パネル端部の組み合わせ要部断面図、図８は従来の冷蔵庫の本体前部の要部断面図である。
【０００５】
図６から図８に示すように、冷蔵庫２１は、断熱材２２入りの上面パネル２３と、底面パネル２４と、左右の側面パネル２５と、背面パネル（図示していない）の組合せにより前面を開口する食品収納部２７が形成された断熱箱体２８と、断熱箱体２８前面には開閉自在の扉２９を有する。
【０００６】
断熱箱体２８の下部に冷却機能部品収納箱３０の空間が設けられ、圧縮機や凝縮器などの冷却機能部品（図示していない）が収納されている。
【０００７】
また、上面パネル２３と、底面パネル２４と、左右の側面パネル２５と、背面パネル（図示していない）は、外板３５と内板３６と断熱材２２とから構成している。
【０００８】
上面パネル２３と、底面パネル２４と、左右の側面パネル２５と、背面パネル（図示していない）を組み合わせるパネル端部には、外板３５と内板３６とを折り曲げて成る段差部４４を備え、段差部４４にて隣り合うパネルを貫通する連結部品５６で各パネルを固定している。
【０００９】
また、上面パネル２３と、底面パネル２４と、左右の側面パネル２５の冷蔵庫本体前側の端部では、溝状に折り曲げた外板３５にＬ字状に折り曲げた内板３６を挿入し、外板３５の内側に高圧冷媒配管５９を内接している。
【００１０】
以上のように構成された従来の冷蔵庫について以下にその動作を説明する。
【００１１】
冷蔵庫本体を形成する上面パネル２３と、底面パネル２４と、左右の側面パネル２５と、背面パネル（図示していない）は、段差部４４を設けているので断熱パネルの厚み以上に沿面距離を確保し、連結部品５６にて各パネルを固定しているので、各パネル接合部の熱橋現象を抑えて断熱性能の劣化を防ぐと共に、庫内外の温度差による各パネル連結部の変形を抑えることにより、結露が生じにくくかつ箱体としての強度を高めている。
【先行技術文献】
【特許文献】
【００１２】
【特許文献１】特開２００５−１８０７１８号公報
【発明の概要】
【発明が解決しようとする課題】
【００１３】
しかしながら、上記従来の冷蔵庫では、断熱材の高性能化に伴い断熱パネルの厚みを薄型化した場合には連結部品を介する熱伝導の影響度合いが大きくなり、連結部品が熱橋となり冷蔵庫の熱負荷が増大すると共に、連結部品の庫外側端部に結露が発生し、商品性を損なってしまうという課題を有していた。
【００１４】
また、天面パネルと、底面パネルと、側面パネルの内部を貫通するように高温冷媒配管を設けているため、各パネルを組み立てつつ高温冷媒配管を配設する作業性に大きな課題を有していた。
【００１５】
本発明は上記従来の課題を解決するものであり、ビルトインキッチンに組み込む冷蔵庫であって、断熱パネルの厚みが薄い場合であっても、断熱パネル端部の断熱性能を低下させること無く商品性を確保できると共に、前記高温冷媒配管を容易に配設することができる冷蔵庫を提供することを目的とする。
【課題を解決するための手段】
【００１６】
上記従来の課題を解決するために、本発明の冷蔵庫は、組立式の箱体からなる冷蔵庫本体は、断熱材入りの上面パネルと、底面パネルと、左右の側面パネルと、背面パネルと、各パネルを連結する連結部品と、連結部品を各パネルに固定する締結部品とを有し、各パネルは、冷蔵庫の外殻を形成する外板と食品収納部を形成する内板とから形成され、各パネル同士を接続するパネル端部には段差部を備え、各パネル同士を接続する外板の端部近傍には凹型固定部を備え、前記連結部品の端部近傍には、前記締結部品を通す貫通孔を備えたもので、一方のパネルの端部の段差部ともう一方のパネルの端部の段差部を係合し、連結部品の貫通孔とパネルの外板に設けた凹型固定部とを前記締結部品で締結するものである。
【００１７】
これによって、断熱材の高性能化に伴い断熱パネルの厚みを薄型化した場合であっても熱橋となり得る連結部品は各パネルの外側にあり、かつ断熱性を有するシール材によりパネル端部の段差部の断熱性を補強しているため、パネル端部の断熱性を維持することができる。
【発明の効果】
【００１８】
本発明の冷蔵庫は、庫内と庫外の熱橋となりやすいパネル端部と、冷蔵庫本体と扉の間のシール部との断熱性およびその組立て作業性を確保するとともに、冷蔵庫本体の変形を防止することにより、高い断熱性を有する省エネ性に優れた組立式の箱体を提供することができる。
【図面の簡単な説明】
【００１９】
【図１】本発明の実施の形態１における冷蔵庫の外観斜視図
【図２】同実施の形態１における冷蔵庫の左側から見た縦断面図
【図３】同実施の形態１における冷蔵庫の各パネル端部の組み合わせ要部断面図
【図４】同実施の形態１における冷蔵庫の本体を分解した外観斜視図
【図５】同実施の形態１における冷蔵庫の本体前部の要部断面図
【図６】従来の冷蔵庫における外観斜視図
【図７】従来の冷蔵庫における各パネル端部の組み合わせ要部断面図
【図８】従来の冷蔵庫における本体前部の要部断面図
【発明を実施するための形態】
【００２０】
請求項１に記載の発明は、組立式の箱体からなる冷蔵庫本体は、断熱材入りの上面パネルと、底面パネルと、左右の側面パネルと、背面パネルと、各パネルを連結する連結部品
と、連結部品を各パネルに固定する締結部品とを有し、各パネルは、冷蔵庫の外殻を形成する外板と食品収納部を形成する内板とから形成され、各パネル同士を接続するパネル端部には段差部を備え、各パネル同士を接続する外板の端部近傍には凹型固定部を備え、前記連結部品の端部近傍には、前記締結部品を通す貫通孔を備えたもので、一方のパネルの端部の段差部ともう一方のパネルの端部の段差部を係合し、連結部品の貫通孔とパネルの外板に設けた凹型固定部とを前記締結部品で締結することにより、断熱材の高性能化に伴い断熱パネルの厚みを薄型化した場合であっても各パネルを連結する連結部品は各パネルの外側にあるため熱橋になることがなく各パネル端部の断熱性を確保することができ、箱体の断熱性能を確保することができる。
【００２１】
請求項２に記載の発明は、請求項１に記載の発明において、前記連結部品は、各パネル端部を圧接するための機能を有することにより、各パネル端部を確実に圧接固定することができ、断熱性能を高めると共に箱体の強度を確実に確保することができる。
【００２２】
請求項３に記載の発明は、請求項１または２に記載の発明において、前記段差部に断熱性を有するシール材を挟持することにより、各パネル端部の段差部に生じやすい隙間を確実に密着させることができ、各パネルの端部の断熱性能のより確実に維持すると共に箱体の強度をより高めることができる。
【００２３】
請求項４に記載の発明は、請求項１から３のいずれか一項に記載の発明において、上面パネル、側面パネル、底面パネルの冷蔵庫本体前方側のパネル端部には凹部が形成され、前記凹部に高温冷媒配管を配置したことにより、箱体開口部となる各パネルの前面側端部の強度を確保するとともに、各パネルを組み合わせた後で凹型の溝に会わせて高温冷媒配管を配設することができ、箱体強度を高めると共に高温冷媒配管を容易に配設することができる。
【００２４】
請求項５に記載の発明は、請求項４に記載の発明において、上面パネル、側面パネル、底面パネルの冷蔵庫本体前方のパネル端部には化粧板を設け、前記パネル端部と前記化粧板との間に前記高温冷媒配管を挟持することにより、高温冷媒配管を確実に固定すると共に、高温冷媒配管からの熱伝導により化粧板を介して冷蔵庫本体前方の各パネル端部の温度を高めることにより、冷蔵庫本体と扉との開口部に結露を生じる心配が無く、また開口部の外観意匠性を高めることができ、冷蔵庫の商品性を高めることができる。
【００２５】
請求項６に記載の発明は、請求項４または５に記載の発明において、前記高温冷媒配管は、底面パネルの下側面を介して冷凍サイクルを構成していることにより、冷蔵庫の外観意匠性を損なうことなく高温冷媒配管を冷凍サイクルに系合することができ、冷蔵庫の商品性を高めることができる。
【００２６】
以下、本発明の実施の形態について、図面を参照しながら説明する。なお、この実施の形態によってこの発明が限定されるものではない。
【００２７】
（実施の形態１）
図１は本発明の実施の形態１における冷蔵庫の外観斜視図、図２は同実施の形態１における冷蔵庫の左側から見た縦断面図、図３は同実施の形態１における冷蔵庫の各パネル端部の組み合わせ要部断面図、図４は同実施の形態１における冷蔵庫の本体を分解した外観斜視図、図５は同実施の形態１における冷蔵庫の本体前部の要部断面図である。
【００２８】
図１から図５において、冷蔵庫１２１は、断熱材１２２入りの上面パネル１２３と、底面パネル１２４と、左右の側面パネル１２５と、背面パネル１２６の組合せにより前面を開口する食品収納部１２７が形成された断熱箱体１２８と、食品収納部１２７の前面を開
口するための扉１２９とを有し、断熱箱体１２８の下部には冷却機能部品収納箱１３０の空間が設けられている。
【００２９】
上面パネル１２３と、底面パネル１２４と、左右の側面パネル１２５と、背面パネル１２６は、外板１３５と内板１３６と、外板１３５と内板１３６との間は硬質ウレタンフォームや真空断熱材をなどの断熱材１２２が形成されている。
【００３０】
上面パネル１２３と、底面パネル１２４と、左右の側面パネル１２５と、背面パネル１２６は、各パネルを連結する連結部品１４０と、連結部品１４０を各パネルに固定する締結部品１４１から構成され、各パネルは、冷蔵庫１２１の外殻を形成する外板１３５と食品収納部１２７を形成する内板１３６とから形成され、各パネル同士を接続するパネル端部には、外板１３５と内板１３６とを折り曲げて成る段差部１４２を備え、各パネル同士を接続する外板１３５の端部近傍には、凹型固定部１４３を備え、連結部品１４０の端部近傍には、締結部品１４１を通す貫通孔１４４を備えたものであり、一方のパネルの端部の段差部ともう一方のパネルの端部の段差部を係合し、連結部品１４０の貫通孔１４４と、外板１３５に設けた凹型固定部１４３とを位置合わせし、連結部品１４０の貫通孔１４４を通した締結部品１４１を凹型固定部１４３に締結することより、断熱箱体１２８を形成する。
【００３１】
上面パネル１２３と、底面パネル１２４と、左右の側面パネル１２５と、背面パネル１２６を連結する連結部品１４０は、一方の貫通孔１４４の近傍に凸状係合部１４５を備え、各パネルの外板１３５に設けた外板係合部１４６とを位置合わせする事により、各パネル端部に挟持する軟質ウレタンフォームからなるシール材１４７を圧縮しつつ隣り合うパネル端部を圧接する。
【００３２】
上面パネル１２３と、底面パネル１２４と、左右の側面パネル１２５のパネル端部のうち、冷蔵庫１２１前方側の端部には凹部１４８が形成されており、凹部１４８に高温冷媒配管１４９が位置決めされている。
【００３３】
また、冷蔵庫１２１前方のパネル端部には、端部を覆う化粧板１５０を設け、各パネル端部と化粧板１５０との間に高温冷媒配管１４９を挟持している。
【００３４】
扉１２９には、食品収納部１２７開口部の外周部分に当接する位置に柔軟材料で磁石を内蔵した冷気シール用ガスケット１６１と、食品収納部１２７内の食品を保存する食品収納ケース１６２を断熱箱体１２８の前後方向に摺動可動自在とする引出しレール１６３を設けている。引出しレール１６３は食品収納部１２７左右壁面の受け部によって食品収納部１２７内に支持されている。
【００３５】
また、食品収納部１２７の奥面には冷却用風路１３１が区画整理され、冷却用風路１３１には食品収納部１２７への冷気吐出口１３２と食品収納部１２７からの冷気吸入口１３３が設置され、各々が冷却用風路１３１の吐出側風路と吸入側風路に連結されている。冷気吐出口１３２と同じ高さ位置に冷気循環用ファン１６４が設けられている。
【００３６】
冷蔵庫１２１下部の冷却機能部品収納箱１３０の空間内には、圧縮機１６５と、凝縮器１６７と、膨張機構としてのキャピラリーチューブと、凝縮器冷却ファン１６８と、冷却制御盤１６９が設置され、圧縮機１６５および凝縮器１６７の横の空間には、底面パネル１２４を下方向に凸型に成形した蒸発器収納部１７０が形成され、蒸発器（図示していない）が収納されており、蒸発器収納部１７０の下部には蒸発皿１６６が設置されている。
【００３７】
そして、圧縮機１６５、凝縮器１６７、高温冷媒配管１４９、キャピラリーチューブ、
蒸発器は順次環状に連接され、食品収納部１２７を冷却する冷却手段としての冷凍サイクル（蒸気圧縮式の冷凍システム）を形成する。
【００３８】
高温冷媒配管１４９は、底面パネル１２４の冷蔵庫１２１前方端部から、底面パネル１２４の下部を介して冷凍サイクルと連結されている。
【００３９】
以上のように構成された冷蔵庫について、以下その動作、作用を説明する。
【００４０】
冷却制御盤１６９の電源の投入と同時に、圧縮機１６５の起動により冷凍サイクルを動作させ、圧縮機１６５、凝縮器１６７、高温冷媒配管１４９、キャピラリーチューブ、蒸発器の順に冷媒を循環させ、冷媒の圧縮と膨張を利用し蒸発器を冷却する。ここで蒸発器収納部１７０中にある蒸発器は、冷却用風路１３１に構成した吐出側風路と冷気吐出口１３２、冷気吸入口１３３と冷却用風路１３１に構成した吸入側風路により食品収納部１２７に連結している。
【００４１】
このとき冷気循環用ファン１６４により、冷気吸入口１３３を通じて食品収納部１２７の空気を蒸発器へ戻し、蒸発器で熱交換した冷気を冷気吐出口１３２から食品収納部１２７へ再び循環させることで食品収納部１２７を冷却する。
【００４２】
一方、冷蔵庫１２１は断熱性を有する断熱箱体１２８と、扉１２９、冷気シール用ガスケット１６１で構成されているため、冷凍サイクルで生成した冷気と冷蔵庫１２１の断熱性のバランスにより食品収納部を所定の温度に保つことができる。
【００４３】
本実施の形態の冷蔵庫では、上面パネル１２３と、底面パネル１２４と、左右の側面パネル１２５と、背面パネル１２６は、各パネルを連結する連結部品１４０と、連結部品１４０を各パネルに固定する締結部品１４１から構成され、各パネルは、冷蔵庫１２１の外殻を形成する外板１３５と食品収納部１２７を形成する内板１３６とから形成され、各パネル同士を接続するパネル端部には、外板１３５と内板１３６とを折り曲げて成る段差部１４２を備え、各パネル同士を接続する外板１３５の端部近傍には、凹型固定部１４３を備え、連結部品１４０の端部近傍には、締結部品１４１を通す貫通孔１４４を備えたものであり、一方のパネルの端部の段差部ともう一方のパネルの端部の段差部を係合し、連結部品１４０の貫通孔１４４と、外板１３５に設けた凹型固定部１４３とを位置合わせし、連結部品１４０の貫通孔１４４を通した締結部品１４１を凹型固定部１４３に締結することより、断熱箱体１２８を形成しているため、断熱材の高性能化に伴い断熱パネルの厚みを薄型化した場合であっても各パネルを連結する連結部品１４０は各パネルの外側にあるため熱橋になることがなく各パネル端部の断熱性を確保することができ、断熱箱体１２８の断熱性能を確保することができる。
【００４４】
また、上面パネル１２３と、底面パネル１２４と、左右の側面パネル１２５と、背面パネル１２６を連結する連結部品１４０は、一方の貫通孔１４４の近傍に凸状係合部１４５を備え、各パネルの外板１３５に設けた外板係合部１４６とを位置合わせする事により、各パネル端部に挟持する軟質ウレタンフォームからなるシール材１４７を圧縮しつつ隣り合うパネル端部を圧接しているため、各パネル端部を確実に圧接すると共に、シール材１４７で段差部の隙間を確実に密着させることができるため、各パネル端部における断熱性能を高めると共に断熱箱体１２８の強度を確実に確保することができる。
【００４５】
また、上面パネル１２３と、底面パネル１２４と、左右の側面パネル１２５のパネル端部のうち、冷蔵庫１２１前方側の端部には凹部１４８が形成されており、凹部１４８に高温冷媒配管１４９が位置決めされているため、箱体開口部となる各パネルの前面側端部の強度を確保するとともに、各パネルを組み合わせた後で凹部１４８に合わせて高温冷媒配
管１４９を配設することができ、箱体強度を高めると共に高温冷媒配管を容易に配設することができる。
【００４６】
また、また、冷蔵庫１２１前方のパネル端部には、端部を覆う化粧板１５０を設け、各パネル端部と化粧板１５０との間に高温冷媒配管１４９を挟持しているため、高温冷媒配管１４９を確実に固定すると共に、高温冷媒配管１４９からの熱伝導により化粧板１５０を介して断熱箱体１２８前方の各パネル端部の温度を高めることにより、断熱箱体１２８と扉１２９との開口部に結露を生じる心配が無く、また開口部の外観意匠性を高めることができ、冷蔵庫１２１の商品性を高めることができる。
【００４７】
また、高温冷媒配管１４９を底面パネル１２４の下側面を介して冷凍サイクルと系合していることにより、冷蔵庫１２１の外観意匠性を損なうことなく高温冷媒配管１４９を冷凍サイクルに系合することができ、冷蔵庫１２１の商品性を高めることができる。
【００４８】
なお、本実施の形態ではビルトインキッチンに組み込むパネル式冷蔵庫としたので、冷蔵庫１２１がビルトインキッチンに収納されるため、断熱箱体１２８本体の外観意匠性は重要ではないので連結部品１４０を各パネルの外側に設けたが、外観意匠性が重視される場合には断熱箱体１２８の外側に本体化粧パネルを設けても良い。この場合、冷蔵庫本体が大型であるため断熱箱体を一体で形成することが難しい大型のプレハブ冷蔵庫に適用することができ、比較的軽微な設備で大型の冷蔵庫を組み立てることができるという効果がある。
【産業上の利用可能性】
【００４９】
以上のように、本発明にかかる冷蔵庫は、大型の断熱パネルを組合わせてなるプレハブ型の大型冷蔵庫等の用途にも適用できる。
【符号の説明】
【００５０】
１２１  冷蔵庫
１２２  断熱材
１２３  上面パネル
１２４  底面パネル
１２５  側面パネル
１２６  背面パネル
１２７  食品収納部
１２８  断熱箱体
１２９  扉
１３０  冷却機能部品収納箱
１３１  冷却用風路
１３５  外板
１３６  内板
１４０  連結部品
１４１  締結部品
１４２  段差部
１４３  凹型固定部
１４４  貫通孔
１４５  凸状係合部
１４６  外板係合部
１４７  シール材
１４８  凹部
１４９  高温冷媒配管
１５０  化粧板
１６１  ガスケット
１６２  食品収納ケース
１６３  引出しレール
１６４  冷気循環用ファン
１６５  圧縮機
１６７  凝縮器
１６８  凝縮器冷却ファン
１６９  冷却制御盤
１７０  蒸発器収納部
【図１】
2015158327.tif 000003
【図２】
2015158327.tif 000004
【図３】
2015158327.tif 000005
【図４】
2015158327.tif 000006
【図５】
2015158327.tif 000007
【図６】
2015158327.tif 000008
【図７】
2015158327.tif 000009
【図８】
2015158327.tif 000010